(57)【要約】【課題】  小型かつ低廉であって、しかも１段目、２段目双方でそれぞれクリック感を与えることができる二段クリック式押ボタンを提供すること。【解決手段】  押下操作を受ける押下受け部１１を取り巻くように押下受け部周縁から下方斜めに広がり、押下受け部１１が所定の第１のストロークだけ押下されたタイミングで変形してクリック感を与えるスカート部１２を設ける。また、そのスカート部１２を取り巻くようにスカート部周縁から略水平方向に広がる外周部１３を設ける。その外周部を両側から圧縮して中央が上に浮き上がった形状に変形した状態のまま機器に取り付けることにより、押下受け部が所定の第１のストロークよりも浅い第２のストロークだけ押下されたタイミングで外周部の上への浮き上がりを解消させて１段目のクリック感を与える。また押下受け部がさらに押されたらスカート部を変形させて２段目のクリック感を与える。【選択図】        図４
2005276622.tif 000002
【特許請求の範囲】
【請求項１】
機器に取り付けられ押下に応じて二段にクリック感を与える二段クリック式押ボタンにおいて、
押下操作を受ける押下受け部と、
前記押下受け部を取り巻くように該押下受け部周縁から下方斜めに広がり、該押下受け部が所定の第１のストロークだけ押下されたタイミングで変形してクリック感を与えるスカート部と、
前記スカート部を取り巻くように該スカート部周縁から略水平方向に広がるとともに両側から圧縮されて中央が上に浮き上がった形状に変形した状態のまま機器に取り付けられて、前記押下受け部が前記第１のストロークよりも浅い第２のストロークだけ押下されたタイミングで上への浮き上がりが解消されてクリック感を与える外周部とを備えたことを特徴とする二段クリック式押ボタン。
【請求項２】
前記外周部外周線が両側から圧縮される方向に長軸を持つ楕円に形成され、押下方向に投影したときに略円形となるように両側から圧縮されることを特徴とする請求項１記載の二段クリック式押ボタン。
【請求項３】
前記外周部の両側から圧縮されて上に浮き上がる部分の下面に前記押下受け部が前記第２のストロークだけ押されたタイミングで、機器に設けられた第１段目の接点を押す第１のスイッチ部を有するとともに、機器に設けられた第２段目の接点を前記押下受け部が前記第１のストロークだけ押されたタイミングで押す第２のスイッチ部を有することを特徴とする請求項１記載の二段クリック式押ボタン。
【請求項４】
前記外周部に連続して、該外周部が圧縮される方向の該外周部両側に設けられた、該外周部を両側から圧縮した状態のまま機器に取り付けられる一対の取付部を有することを特徴とする請求項１記載の二段クリック式押ボタン。
【請求項５】
ゴムで一体成型されてなることを特徴とする請求項１記載の二段クリック式押ボタン。
【請求項６】
押下に応じて二段にクリック感を与える二段クリック式押ボタンを備えた機器において、
前記二段クリック式押ボタンが
押下操作を受ける押下受け部と、
前記押下受け部を取り巻くように該押下受け部周縁から下方斜めに広がり、該押下受け部が所定の第１のストロークだけ押下されたタイミングで変形してクリック感を与えるスカート部と、
前記スカート部を取り巻くように該スカート部周縁から略水平方向に広がるとともに両側から圧縮されて中央が上に浮き上がった形状に変形した状態のまま機器に取り付けられて、前記押下受け部が前記第１のストロークよりも浅い第２のストロークだけ押下されたタイミングで上への浮き上がりが解消されてクリック感を与える外周部とを備えたことを特徴とする機器。
【請求項７】
押下に応じて二段にクリック感を与える二段クリック式押ボタンからなるシャッタボタンを備え、該シャッタボタンを一段押すことで所定の撮影準備を行なうとともに該シャッタボタンを二段押すことで撮影を行なうカメラにおいて、
前記シャッタボタンが、
押下操作を受ける押下受け部と、
前記押下受け部を取り巻くように該押下受け部周縁から下方斜めに広がり、該押下受け部が所定の第１のストロークだけ押下されたタイミングで変形してクリック感を与えるスカート部と、
前記スカート部を取り巻くように該スカート部周縁から略水平方向に広がるとともに両側から圧縮されて中央が上に浮き上がった形状に変形した状態のままこのカメラに取り付けられて、前記押下受け部が前記第１のストロークよりも浅い第２のストロークだけ押下されたタイミングで上への浮き上がりが解消されてクリック感を与える外周部とを備えたことを特徴とするカメラ。
【発明の詳細な説明】
【技術分野】
【０００１】
本発明は、機器に取り付けられ押下に応じて二段にクリック感を与える二段クリック式押ボタン並びにその二段クリック式押ボタンを備えた機器、またその機器の１つに当たるカメラに関する。
【背景技術】
【０００２】
コンパクトカメラの低価格化、小型化、高性能化が進んでいる。その中で、シャッタボタンの構造も安く、小型化しなくてはならないが、コンパクトカメラの中には、シャッタが切れる前にシャッタボタンの操作に同期して測距装置を作動させるものがある。このようなコンパクトカメラにあっては、シャッタボタンとして二段にクリック感を与える二段クリック式押ボタンが必要になる。通常、このような二段クリック式押ボタンをコンパクトカメラなどの機器に組み込む場合には低コスト化を図るため、一段クリック式押ボタン、二段クリック式押ボタンが多数一体成形された弾性部材が用いられる。
【０００３】
図１はそれらクリック式押ボタンが一体成型された弾性部材の構造を示す図である。
【０００４】
図１に示す弾性部材の一番左側に二段クリック式押ボタン３１が構成されており、その二段クリック式押ボタン３１の右側に一段式クリックボタン３２がそれぞれ構成されている。
【０００５】
図１には、紙面裏側から押下操作されるクリック式押ボタン３１、３２の押下受け部の下面の構造が示されている。
【０００６】
図１に示す二段クリック式押ボタン３１の押下受け部３１ａの下面の中央には、ボスからなる第２のスイッチ３３ａが、またその第２のスイッチ３３ａを中心にしてその第２のスイッチ３３ａを囲むように３つのボス３４ａ〜３４ｃからなる第１のスイッチが設けられている。この第２のスイッチとして働く中央のボス３３ａの高さは、第１のスイッチとして働く３つのボス３４ａ〜３４ｃの高さよりも低く、図１の裏面側からこの二段クリック式押ボタン３１の押下受け部が押下操作されたときには、まず高さの高い方の３つボス３４ａ〜３４ｃからなる第１のスイッチで第１段目の接点が押され、さらに深く押下操作されたときには高さの低いボス３３ａからなる第２のスイッチで第２段目の接点が押される。このようにすると第１のスイッチにより第１段目の接点が押されたタイミングで弾性部材が変形して１段目のクリック感がユーザに与えられ、さらに押下受け部が押し込まれたときには、高さの低いボス３３ａからなる第２のスイッチにより第２段目の接点が押されたタイミングで弾性部材がさらに変形して２段目のクリック感が与えられる。しかし、このように押下受け部３１を一度変形させ、その変形により１段目のクリック感を与え、さらに同じ方向に押し込むことによってその押下受け部３１をさらに変形させてその変形により２段目のクリック感を与えようとしても、２段目で思ったほどのクリック感をユーザに与えることはなかなかできない。
【０００７】
このような二段クリック式押ボタンの１段目、２段目双方でクリック感をユーザに与えることはこの二段クリック式押ボタンが取り付けられる機器側にとっては大変重要なことで、１段目、２段目双方で別々にクリック感をユーザに対して与えることができないと、ユーザはその二段クリック式押ボタンの１段目、２段目の各押下操作がきちんと行なわれたかどうかの判別がつかない。特にこの二段クリック式押ボタンがシャッタボタンとして適用されるカメラにあっては、２段目のクリック感がユーザに与えられないと、ユーザにより必要以上に力を入れて２段目の押下操作が行なわれてしまい手ぶれが発生してしまう。
【０００８】
そこで、この手ぶれを防止するため、１段目、２段目双方でクリック感が得られる二段クリック式押ボタンの構造が発案されている（例えば特許文献１参照）。この特許文献１に記載の二段クリック式押ボタンでは、スカート部を二段構造にして、押下操作に応じて１段目、２段目のスカートを変形させて１段目、２段目の接点を押したときにそれぞれクリック感が与えられる。しかし、この特許文献１のもののように二段構造のスカート部を設けるとなると、二段クリック式押ボタン自体が大型化し、その大型化した二段クリック式押ボタンが配設される側の機器も大型化してしまうという問題がある。
【特許文献１】特開２００２−４２６０５号公報
【発明の開示】
【発明が解決しようとする課題】
【０００９】
本発明は上記問題点を解決し、小型で低廉であって、しかも１段目、２段目双方でそれぞれクリック感を与えることができる二段クリック式押ボタンを提供することを目的とするものである。さらに、その二段クリック式押ボタンを備え、小型化および低廉化が図られた機器、特にその機器の代表として二段クリック式押ボタンがシャッタボタンとして取り付けられ、快適な操作感覚が与えられたカメラを提供することを目的とするものである。
【課題を解決するための手段】
【００１０】
本発明は、機器に取り付けられ押下に応じて二段にクリック感を与える二段クリック式押ボタンにおいて、
押下操作を受ける押下受け部と、
上記押下受け部を取り巻くようにその押下受け部周縁から下方斜めに広がり、その押下受け部が所定の第１のストロークだけ押下されたタイミングで変形してクリック感を与えるスカート部と、
上記スカート部を取り巻くようにそのスカート部周縁から略水平方向に広がるとともに両側から圧縮されて中央が上に浮き上がった形状に変形した状態のまま機器に取り付けられて、上記押下受け部が上記第１のストロークよりも浅い第２のストロークだけ押下されたタイミングで上への浮き上がりが解消されてクリック感を与える外周部とを備えたことを特徴とする。
【００１１】
本発明の二段クリック式押ボタンによれば、上記外周部の中央が機器に上に浮き上がった形状に変形した状態のまま機器に取り付けられ、上記第１のスクロークよりも浅い上記第２のストロークだけ押下されたタイミングでその外周部の上への浮き上がりが解消されることにより１段目のクリック感が与えられ、さらに第１のストロークだけ押下されたタイミングでいままでのようにスカート部の変形により２段目のクリック感が与えられる。
【００１２】
このように上記押下受け部の中央が上へ浮き上がった形状に変形した状態のまま機器に取り付けることで、この二段クリック式押ボタンの一段構造のスカート部の外周にさらに広がる２段目のスカート部を設ける必要がなくなり、この二段クリック式ボタンの小型化を図れる。また二段構造のスカート部を設ける必要がなくなると構造が簡略になるのでこの二段クリック式押ボタンの低廉化も図れる。さらにこの小型化および低廉化された二段クリック式押ボタンが取り付けられる側の機器の小型化および低廉化も図れる。
【００１３】
ここで、上記外周部外周線が両側から圧縮される方向に長軸を持つ楕円に形成され、押下方向に投影したときに略円形となるように両側から圧縮されることが好ましい。
【００１４】
このように本発明の二段クリック式押ボタンの押下受け部の上記外周部外周線が両側から圧縮される方向に長軸を持つ楕円に形成され、押下方向に投影したときに略円形となるように両側から圧縮されるものであると、この二段クリック式押ボタンを取り付けるときに両側から圧縮されるように取り付けることで、スカート部を設ける代わりにこの二段クリック式押ボタンに１段目のクリック感を与える構造を持たせることができる。
【００１５】
また、上記外周部の両側から圧縮されて上に浮き上がる部分の下面に、上記押下受け部が上記第２のストロークだけ押されたタイミングで機器に設けられた第１段目の接点を押す第１のスイッチ部を有するとともに、機器に設けられた第２の接点を上記押下受け部が上記第１のストロークだけ押されたタイミングで押す第２のスイッチ部を有することが望ましい。
【００１６】
そうすると、上記押下受け部が上記第１のストロークよりも浅い第２のストロークで押されたタイミングで上記第１のスイッチにより上記第１の接点を押したときに上記外周部の中央の浮き上がりが解消されて１段目のクリック感がユーザに対し与えられ、また上記押下受け部が第１のストロークだけ押されたタイミングで上記第２のスイッチ部により上記２段目の接点が押されたときに上記スカート部が変形することにより２段目のクリック感がユーザに対し与えられる。
【００１７】
さらに、上記外周部に連続して、その外周部が圧縮される方向のその外周部両側に設けられた、その外周部を両側から圧縮した状態のまま機器に取り付けられる一対の取付部を有することが好ましい。
【００１８】
そうすると、上記一対の取付部により外周部が圧縮された状態のまま機器に簡単に取り付けることができ、上記楕円形に形成された部分を両側から圧縮する構造をわざわざ機器側に設けることなく、１段目のクリック感を与える構造が実現される。
【００１９】
ここで、上記二段クリック式押ボタンは、ゴムで一体成型されてなることが好ましい。
【００２０】
いままでのようにスカート部が二段構成される訳ではないので、二段クリック式押ボタンの構造が簡略になり、この二段クリック式ボタンをゴムで一体成型する上においても、低廉化を図れるという効果を引き出せる。
【００２１】
また、上記課題を達成する上記本発明の機器は、押下に応じて二段にクリック感を与える二段クリック式押ボタンを備えた機器において、
上記二段クリック式押ボタンが
押下操作を受ける押下受け部と、
上記押下受け部を取り巻くようにその押下受け部周縁から下方斜めに広がり、その押下受け部が所定の第１のストロークだけ押下されたタイミングで変形してクリック感を与えるスカート部と、
上記スカート部を取り巻くように該スカート部周縁から略水平方向に広がるとともに両側から圧縮されて中央が上に浮き上がった形状に変形した状態のまま機器に取り付けられて、上記押下受け部が上記第１のストロークよりも浅い第２のストロークだけ押下されたタイミングで上への浮き上がりが解消されてクリック感を与える外周部とを備えたことを特徴とする。
【００２２】
このように、二段クリック式押ボタンが必要とされる機器であればどのような機器であっても本発明の二段クリック式押ボタンは適用可能であり、小型化が図られた上記二段クリック式押ボタンをこの機器に取り付けることにより機器の小型化も図れる。また、上記取付部でこの二段クリック式押ボタンを機器に簡単に取り付けることができるので、組立の工数も低減され、機器の低廉化を図ることもできる。
【００２３】
また、上記課題を達成する本発明のカメラは、押下に応じて二段にクリック感を与える二段クリック式押ボタンからなるシャッタボタンを備え、そのシャッタボタンを一段押すことで所定の撮影準備を行なうとともに、そのシャッタボタンを二段押すことで撮影を行なうカメラにおいて、
上記シャッタボタンが、
押下操作を受ける押下受け部と、
上記押下受け部を取り巻くようにその押下受け部周縁から下方斜めに広がり、その押下受け部が所定の第１のストロークだけ押下されたタイミングで変形してクリック感を与えるスカート部と、
上記スカート部を取り巻くように該スカート部周縁から略水平方向に広がるとともに両側から圧縮されて中央が上に浮き上がった形状に変形した状態のままこのカメラに取り付けられて、上記押下受け部が上記第１のストロークよりも浅い第２のストロークだけ押下されたタイミングで上への浮き上がりが解消されてクリック感を与える外周部とを備えたことを特徴とする。
【００２４】
このように、本発明の２段式押し釦スイッチを機器の一例として挙げられるカメラに適用すると、この二段クリック式押ボタンを半押し、全押しの操作態様を持つシャッタボタンとして機能させることができ、半押し、全押しの双方の操作態様でクリック感をユーザに与えることができるため、レリーズ時に快適な操作感覚をユーザに与えることができる。特に２段目の押下操作で確実にクリック感が与えられるので、いままで問題であった全押し時の手ぶれが防止される。
【発明の効果】
【００２５】
本発明によれば、小型かつ低廉であって、しかも１段目、２段目双方でそれぞれクリック感を与えることができる二段クリック式押ボタンを提供することができる。また、その二段クリック式押ボタンを備え、小型化および低廉化が図られた機器、さらにその機器の代表として二段クリック式押ボタンがシャッタボタンとして取り付けられ、快適な操作感覚が与えられたカメラを提供することができる。
【発明を実施するための最良の形態】
【００２６】
以下図面を参照して本発明の実施の形態を説明する。
【００２７】
図２は本実施形態である二段クリック式押ボタンの構造を示す図である。
【００２８】
図２に示す紙面表側が機器側に配設される側であり、紙面裏側がこの二段クリック式押ボタンの押下受け部が押下操作される側になる。図２には、図１と同様、クリック式ボタンが多数一体成型された弾性部材の構造が示されている。ここではその弾性部材としてゴムが用いられている。
【００２９】
この二段クリック式ボタン１は、その外周部１３外周線が両側から圧縮される方向に長軸を持つ楕円に形成され、押下方向（図２の裏面側から正面側に向く方向）に投影したときに略円形となるように両側から圧縮されて機器に取り付けられるもので、機器に取り付けられるときには、その外周部１３に連続して、その外周部１３が圧縮される方向の外周部両側に設けられた取付け部によって、その外周部を両側から圧縮した状態のまま機器に取り付けることができる。ここでは、この一対の取付部として外周部１３の周縁に固定用の孔１４ａ，１４ｂが穿設されており、その固定用の一対の孔１４ａ，１４ｂが外装カバー側の一対のボスを受け入れることによってこの二段クリック式押ボタンが両側から圧縮されるようにして機器に取り付けられる。この圧縮される構造については後述する。
【００３０】
図２には、図２の裏面側からの押下操作を受ける押下受け部１１と、その押下受け部を上方としてその押下受け部１１を取り巻くようにその押下受け部周縁から下方斜めに広がり、その押下受け部１１が所定の第１のストロークだけ押下されたタイミングで変形してクリック感を与えるスカート部１２と、そのスカート部１２を取り巻くようにそのスカート部１２周線から略水平方向に広がるとともに、上記押下受け部が所定の第１のストロークよりも浅い第２のストロークだけ押下されたタイミングで上への浮き上がりが解消されてクリック感を与える外周部１３とを備えた二段クリック式押ボタン１の構造が示されている。
【００３１】
また、この二段クリック式押ボタン１の押下受け部の下面には、押下受け部が第２のストロークだけ押されたタイミングで機器に設けられた第１段目の接点を押す第１のスイッチ部１５と、押下受け部が第１のストロークだけ押されたタイミングで機器に設けられた第２の接点を押す第２のスイッチ部１６がそれぞれ設けられている。
【００３２】
ここで、この二段クリック式押ボタン１が機器に取り付けられた後の状態を示し、本実施形態の二段クリック式押ボタン１がどのように機器に取り付けられるかを、図３を用いて説明する。
【００３３】
図３はこの二段クリック式押ボタン１が機器２０に取り付けられた後の状態を示す図を含む図である。
【００３４】
図３（ａ）には押下受け部１１の下面を示す図が、この二段クリック式押ボタン１の押下受け部１１がそれぞれ示されており、図３（ｃ）にはその図３（ａ）、図３（ｂ）に示す二段クリック式押ボタン１が押下受け部１１側を上にして機器２０に取り付けられた後の状態が示されている。特に、図３（ｃ）には、二段クリック式押ボタンの第１のスイッチ１５が基板上の第１の接点２１ａに対向する位置に配設された状況が分かるように、また第２のスイッチ１６が基板上の第２の接点２１ｂに対応する位置に配設された状態が分かるように、機器２０に取り付けられた二段クリック式押ボタンの中央を切断するように機器を切断し、その切断面を正面側から見た図が示されている。
【００３５】
図３（ｃ）に示すように押下受け部１１側を上にして本実施形態の二段式クリックボタン１が機器２０に取り付けられており、その押下受け部１１が機器２０の外装カバー２０ａを突き抜けて機器の外装カバーの一部となっている。また、その押下受け部１１の下方には第１の接点２１ａおよび第２の接点２１ｂを有する基板２１が配設されており、その基板２１上には上へ浮き上がって取り付けられた外周部１３に設けられた第１のスイッチ１５と対向する位置に第１段目の接点２１ａが、さらに押下受け部１１の下面中央に設けられた第２のスイッチ１６と対向する位置に第２段目の接点２１ｂがそれぞれ設けられている。このようにして二段クリック式押ボタン１が機器２０に取り付けられ、その二段クリック式押ボタン１が押下操作される。
【００３６】
ここで、この二段クリック式押ボタン１が変形したままの状態で取り付けられるときの状況を、図４を参照して説明し、さらにその変形したままの状態で取り付けられた二段クリック式押ボタンが押下操作されたときの外周部１３の作用、スカート部１２の作用を図４を参照して詳細に説明する。
【００３７】
図４は、この二段クリック式押ボタン１が機器２０に取り付けられるときの状況および取り付けられ、組立が完了した後、この二段クリック式押ボタンの外周部が押下操作に応じてどのように機能するかを説明する図である。
【００３８】
図４（ａ）には外装カバー２０ａの孔部２００ａに二段クリック式押ボタン１の押下受け部１１が嵌め込まれ、取付部である固定用の一対の孔１４ａ，１４ｂに外装カバーの一対の取付用ボス２０１ａ，２０２ａがどのように受け入れられるかが示されている。また、図４（ｂ）には外装カバー２０ａの一対のボス２０１ａ，２０２ａを一対の固定用の孔１４ａ，１４ｂで受け入れることにより、楕円形の外周部１３が両側から圧縮されて円形に変形した状態のまま機器２０に取り付けられた状態が示されている。また図４（ｃ）には押下受け部１１を第１のストロークより浅い第２のストロークで押したタイミングで第１のスイッチ１５により基板上の第１の接点２１ａを押したときに、外周部１３の上への浮き上がりが解消されたときの状態が示されている。さらに、図４（ｄ）には、その図４（ｃ）の状態から続けて第１のストロークだけ押下受け部が押下操作されて、第２のスイッチ１６により基板２１上の第２の接点２１ｂが押されてスカート部１２が変形した状態が示されている。
【００３９】
まず、図４（ａ）を参照して外周部外周線が両側から圧縮される方向に長軸を持つ楕円に形成された外周部１３がどのように圧縮されて円形になって機器に取り付けられるかを説明する。
【００４０】
図４（ａ）に示す外装カバー２０ａには、取付部１４ａ，１４ｂに嵌め込まれる一対のボス２０１ａ，２０１ｂが設けられている。その一対のボス２０１ａ，２０１ｂの間隔は取付部である一対の固定用の孔１４ａ，１４ｂの間隔よりも幅狭に形成されており、この二段クリック式押ボタン１の押下受け部１１が外装カバーの孔２００ａに嵌め込まれ、さらに外装カバー２０ａの一対のボス２０１ａ，２０１ｂが取付部である一対の固定用の孔１４ａ，１４ｂに嵌め込まれることによって外周部１３が両側から圧縮されて略円形になって機器２０に取り付けられる。そうすると図４（ｂ）に示すように、スカート部１２を取り巻くようにそのスカート部１２周縁から略水平方向に広がるとともに両側から圧縮されて中央が上に浮き上がった形状に変形した状態のまま外周部１３が機器２０に取り付けられる。図４（ｂ）に示すように外周部１３が上へ浮き上がったことにより外周部の中央に位置する第１のスイッチも上へ浮き上がって機器に取り付けられている。
【００４１】
この状態で図４（ｃ）に示すように押下受け部１１が押されると、押下受け部１１が第１のストロークよりも浅い第２のストロークだけ押下されたタイミングでその浮き上がりが解消された外周部１３に設けられている第１のスイッチ１５により第１の接点２１ａが押され、その押されたときに外周部１３の上への浮き上がりが解消されて１段目のクリック感が与えられる。さらに図４（ｄ）に示すように、押下受け部１１が所定の第１のストロークだけ押下操作されたら、押下受け部１１がその所定の第１のストロークだけ押下されたタイミングで第２のスイッチ１６により第２の接点２１ｂが押されその押されたときにスカート部１２が変形して２段目のクリック感が与えられる。図４（ｄ）には押下受け部１１が第１のストロークだけ押されたタイミングで第２のスイッチ１６により第２の接点２１ｂが押されたときにスカート部１２が変形して折れ曲がった状態が示されている。
【００４２】
このように外装カバー２０ａの一対のボス２０１ａ，２０２ａを、二段クリック式ボタン１の取付部である一対の孔１４ａ，１４ｂに嵌め込むことによって楕円形の外周部１３をほぼ円形に変形させて上へ浮き上がらせるようにして機器２０に取り付け、その外周部１３に設けられた第１のスイッチ１５により第１のスクロークよりも浅い第２のストロークで第１の接点２１ａを押すときに外周部１３の中央の上への浮き上がりを解消させてクリック感をユーザに与え、さらに押下受け部１１を第１のストロークだけ押し込んで第２のスイッチ１６により第２の接点２１ｂを押したときにスカート部１２を変形させることにより２段目のクリック感をユーザに与えている。
【００４３】
図５はこの二段クリック式押ボタン１が機器の一例であるコンパクトカメラに組み込まれた後の状態を示す図である。
【００４４】
まず、図５に示すコンパクトカメラ１の構成を簡単に説明しておく。
【００４５】
図５に示すコンパクトカメラ１００のカメラボディ１００ａの前面中央には撮影レンズ１０が備えられており、その撮影レンズ１０の上方にファインダの対物窓１０１、測距用の投光窓１０２ａおよび受光窓１０２ｂ、測光窓１０３が並べて設けられている。撮影時にはカメラボディ後面１３ａ側にあるファインダの接眼窓を覗きながらフレーミングが行なわれ、カメラ上面１１ａにあるシャッタボタン１０４が押下され撮影が行なわれる。このシャッタボタン１０４に本発明の二段クリック式押ボタン１が用いられている。この二段クリック式押ボタン１からなるシャッタボタン１０４が押下され、撮影が行なわれるときには１段目で測光窓１０３を通してカメラボディ内部に取り込まれた被写界光を基にカメラボディ内部の測光部（図示せず）で被写界輝度の測定が行なわれるとともに、投光窓１０２ａを通して投光された光が受光窓１０２ｂを通して受光され、この受光された光を基にカメラボディ内部の測距部で被写体距離が測定されて、２段目でピントのあった鮮明な画像がカメラボディ内部に装填されたフィルム上に露光される。また、このカメラボディ内部の測光部で被写界輝度を測定した結果、その測定した被写界輝度が閃光を必要とする程度の明るさであった場合には、シャッタボタン１０４が押下されたタイミングに同期して閃光発光窓１０５から閃光が発せられ撮影が行なわれる。
【００４６】
このようなコンパクトカメラ１００に、本発明の二段クリック式押ボタン１が適用されると、２段目でもユーザに対してクリック感が確実に与えられるため、シャッタボタンがさらに勢いよく押し込まれて手ぶれが起こるといったことがなくなる。
【００４７】
ここではコンパクトカメラを機器の一例として挙げたが、二段クリック式ボタンが必要とされる機器であったら、どのような機器にも本発明の二段クリック式押ボタンは適用可能であり、如何なる機器であってもユーザに対し良好な操作感覚を与えることができる。
【図面の簡単な説明】
【００４８】
【図１】従来の二段クリック式押ボタンの構造を示す図である。
【図２】本実施形態である二段クリック式押ボタンの構造を示す構造図である。
【図３】この二段クリック式押ボタンが機器に取り付けられた状態を示す図である。
【図４】この二段クリック式押ボタンが機器に取り付けられるときの状況および取り付けられた後の状況を示す図である。
【図５】二段クリック式押ボタンが機器例えばコンパクトカメラに組み込まれた例を示す図である。
【符号の説明】
【００４９】
１  二段クリック式押ボタン
１１    押下受け部
１２    スカート部
１３    外周部
１４ａ  １４ｂ    一対の取付部
１５    第１のスイッチ部
１６    第２のスイッチ部
２０    外装カバー
２００ａ    孔
２０１ａ  ２０２ａ  一対のボス
１００    コンパクトカメラ
１００ａ    カメラボディ
【図１】
2005276622.tif 000003
【図２】
2005276622.tif 000004
【図３】
2005276622.tif 000005
【図４】
2005276622.tif 000006
【図５】
2005276622.tif 000007